(57)【特許請求の範囲】
【請求項１】
中空の筒状体からなり、当該筒状体を構成する周壁が、径方向内側に向かって凸湾する窪み部と、径方向外側に向かって凸湾する突部とを周方向に連続して備えている微生物付着用担体であって、
前記窪み部における前記筒状体外周側の窪み部湾曲面と、前記突部における前記筒状体外周側の突部湾曲面とが互いに正負逆方向で、等しい大きさの曲率を備えている
ことを特徴としている微生物付着用担体。
【請求項２】
前記窪み部と、前記突部とは前記周壁の周方向に、交互に、複数箇所ずつ形成されていることを特徴とする請求項１記載の微生物付着用担体。
【請求項３】
流動床又は固定床で使用されることを特徴とする請求項１又は２記載の微生物付着用担体。
【請求項４】
スクリーンではさみ込むことにより流動床又は固定床で使用されることを特徴とする請求項３記載の微生物付着用担体。
【請求項５】
生物処理の対象になっている排水が流入する濾過槽に対して、当該濾過槽の容量の４３〜６０％に相当する量で充填して流動床用の微生物付着用担体として使用されることを特徴とする請求項１又は２記載の微生物付着用担体。
【発明の詳細な説明】
【技術分野】
【０００１】
この発明は排水の生物処理法に使用される微生物付着用担体に関する。
【背景技術】
【０００２】
従来から排水の処理に生物処理法が採用されている。生物処理法は流入する汚濁負荷と生物量の確保（汚泥の転換率）の関係から、一般的に、以下のように大別されて採用されている。
【０００３】
（１）高濃度域
排水に活性汚泥を混合し、活性汚泥中の微生物で排水中の汚染物質を分解して浄化し、浄化した排水中の活性汚泥を沈殿分離させ、分離した上澄み液を放流する活性汚泥法が採用されている。活性汚泥法は汚泥量をコントロールすることが可能であり、汚泥転換量が多い。
【０００４】
（２）中濃度域
排水に接触する接触材の表面に微生物を住み着かせ、この微生物が排水中の溶解性の有機性汚濁物質や有機物などを取り込んで生物膜を形成することにより廃水処理する接触酸化法が使用される。接触酸化法は生物群を固定する方式であり、大型微生物も多く共存する。このため汚泥捕食能が高く汚泥転換量は少ない。前記の接触材としては、固定型の濾材や、流動型の濾材が使用される。
【０００５】
（３）低濃度域
排水の処理槽に担体を浸漬し、これに微生物を付着させ、有機物の生物的分解と物理的吸着や濾過作用によって排水の処理を行う生物濾過法が使用される。汚泥転換量が少なく、生物群などを固定及び保持する方式にしている。前記の担体としては、例えば粒状や礫状のものが使用される。
【先行技術文献】
【特許文献】
【０００６】
【特許文献１】特開平１０−３１４７８０号公報
【発明の概要】
【発明が解決しようとする課題】
【０００７】
近年、社会のニーズの多様化が進み、これに応じて、排水の種類が多くなり、難分解性排水が増加する傾向にある。このため、前述した従来一般的に採用されていた方式だけに留まらない処理が要請されるようになっている。
【０００８】
このため、低濃度域においても多くの生物量を必要とする処理方法が求められるようになっている。
【０００９】
そこで、この発明は、排水の生物処理において、接触酸化法で採用される流動床方式、固定床方式のいずれにも使用することができ、更に、生物濾過法にも使用可能な、生物量を多くすることのできる微生物付着担体を提供することを目的にしている。
【００１０】
又、活性汚泥法との併用を行うことで生物量の安定化や汚泥転換量の低減(汚泥減容)も図ることを可能にする微生物付着担体を提供することを目的にしている。
【課題を解決するための手段】
【００１１】
本願の請求項１に係る発明は、
中空の筒状体からなり、当該筒状体を構成する周壁が、径方向内側に向かって凸湾する窪み部と、径方向外側に向かって凸湾する突部とを周方向に連続して備えている微生物付着用担体であって、
前記窪み部における前記筒状体外周側の窪み部湾曲面と、前記突部における前記筒状体外周側の突部湾曲面とが互いに正負逆方向で、等しい大きさの曲率を備えている
ことを特徴としている微生物付着用担体である。
【００１２】
本願の請求項２に係る発明は、
前記窪み部と、前記突部とは前記周壁の周方向に、交互に、複数箇所ずつ形成されていることを特徴とする請求項１記載の微生物付着用担体である。
【００１３】
本願の請求項３に係る発明は、
流動床又は固定床で使用されることを特徴とする請求項１又は２記載の微生物付着用担体である。
本願の請求項４記載の発明は、
スクリーンではさみ込むことにより流動床又は固定床で使用されることを特徴とする請求項３記載の微生物付着用担体である。
本願の請求項５記載の発明は、
生物処理の対象になっている排水が流入する濾過槽に対して、当該濾過槽の容量の４３〜６０％に相当する量で充填して流動床用の微生物付着用担体として使用されることを特徴とする請求項１又は２記載の微生物付着用担体である。
【発明の効果】
【００１４】
この発明によれば、排水の生物処理において、接触酸化法で採用される流動床方式、固定床方式のいずれにも使用することができ、更に、生物濾過法にも使用可能な、生物量を多くすることのできる微生物付着担体を提供することができる。
【００１５】
又、この発明によれば、活性汚泥法との併用を行うことで生物量の安定化や汚泥転換量の低減(汚泥減容)も図ることを可能にする微生物付着担体を提供することができる。
【図面の簡単な説明】
【００１６】
【図１】この発明の微生物付着担体の一例を表す図であって、（ａ）は斜視図、（ｂ）は平面図。
【図２】この発明の微生物付着担体が複数個配置された場合の隣接する微生物付着担体との間に形成される空隙部を説明する平面図。
【図３】この発明の微生物付着担体が複数個配置されている状態の斜視図。
【図４】従来の円柱状で中空の筒状体からなる微生物付着担体が複数個配置された場合の隣接する微生物付着担体との間に形成される空隙部を説明する平面図。
【図５】この発明の微生物付着担体を用いた濾過実験の結果を表わす図。
【図６】この発明の微生物付着担体を用いた他の濾過実験の結果を表わす図。
【図７】この発明の微生物付着担体を用いた他の濾過実験の結果を表わす図。
【図８】この発明の微生物付着担体を用いた他の濾過実験の結果を表わす図。
【図９】従来の微生物付着担体を用いた濾過実験の結果を表わす図。
【図１０】従来の微生物付着担体を用いた他の濾過実験の結果を表わす図。
【図１１】従来の微生物付着担体を用いた他の濾過実験の結果を表わす図。
【発明を実施するための形態】
【００１７】
従来の流動床方式で使用されている微生物付着担体は、（１）スポンジ状などの立方体形状、（２）中空筒状などの円柱形状に大別される。これらは、表面積を大きくして付着する生物の量を確保している。この微生物付着担体は、処理すべき排水が流動することに応じて流動する。そこで、微生物付着担体同士の衝突や、微生物付着担体が収容されている排水処理槽の槽壁との間の接触などにより、微生物付着担体表面への微生物付着量は大きくなく、微生物付着担体の内面や空隙によって微生物が付着する有効表面積が確保される。
【００１８】
なお、中空筒状などの円柱形状は生物の付着成長と、剥離が繰り返される。そこで、スポンジ状などの立方体形状からなる微生物付着担体よりは、中空筒状などの円柱形状の方が、新鮮な生物量を確保できる形状になっている。
【００１９】
しかし、前述したように、微生物付着担体の内面や空隙によって微生物が付着する有効表面積が確保されるのが一般的なので、表面積に限界があり、これが生物量の限界につながっている。
【００２０】
一方、従来の固定床方式で使用されている微生物付着濾材は、整流作用があり処理すべき排水のショートパスを軽減しながら中空筒状の担体と同様に生物の付着成長と剥離が繰り返されるという特徴がある。
【００２１】
また、従来の生物濾過法に使用されている微生物付着担体は、濾過機能を発揮させるために隣接する微生物付着担体同士の間の空間が小さくなるようにした形状している点に特徴がある。これによって生物群を含む微粒子懸濁物質（以下、本明細書において「ＳＳ」と表すことがある）を保持するようにしている。
【００２２】
ただし、このような従来の固定床方式で使用されている微生物付着濾材では、付着する生物量を確保するための微生物付着濾材の表面積は微生物付着濾材の空隙に頼ることになり、空隙の閉鎖が処理性の低下に結びつくことがあった。
【００２３】
本発明が提案する微生物付着用担体は、排水の生物処理において、接触酸化法で採用される流動床方式、固定床方式、そして、生物濾過法にそれぞれ使用されていた微生物付着担体の上述した特徴を踏まえて開発されたものである。
【００２４】
本発明が提案する微生物付着用担体は、中空の筒状体からなり、当該筒状体を構成する周壁が、径方向内側に向かって凸湾する窪み部と、径方向外側に向かって凸湾する突部とを周方向に連続して備えている。
【００２５】
中空の筒状体であることから、当該筒状体を構成する周壁の内面に生物の付着成長と、剥離が繰り返され、新鮮な生物量を確保できる。また、前記筒状体を構成する周壁が、径方向内側に向かって凸湾する窪み部と、径方向外側に向かって凸湾する突部とを周方向に連続して備えていることから、内面の表面積が大きくなり、微生物が付着する有効な表面積を多くし、生物量を多くすることができる。
【００２６】
また、前記筒状体を構成する周壁が、径方向内側に向かって凸湾する窪み部と、径方向外側に向かって凸湾する突部とを周方向に連続して備えていることから、本発明の微生物付着用担体同士が隣接した際に、隣接する微生物付着用担体との間の空間を少なくすることができる。これによって優れた濾過機能を発揮させ、生物群を含む微粒子懸濁物質（ＳＳ）を保持することができる。
【００２７】
このような観点から、前記窪み部における前記筒状体外周側の窪み部湾曲面と、前記突部における前記筒状体外周側の突部湾曲面とが互いに正負逆方向で、等しい大きさの曲率を備えている構造にすることが望ましい。
【００２８】
このようにすると、本発明の微生物付着用担体同士が隣接した際に、隣接する微生物付着用担体との間の空間を効果的に減少させることができ、優れた濾過機能を発揮させ、生物群を含む微粒子懸濁物質（ＳＳ）の保持に有効になる。
【００２９】
なお、前記窪み部と、前記突部とは前記周壁の周方向に、交互に、複数個所ずつ形成されている構造にすることができる。例えば、窪み部と、突部とが前記周壁の周方向に、交互に、３箇所ずつ形成されている構造などを採用することができる。
【００３０】
中空の筒状体からなる本発明の微生物付着用担体は、前述したように、筒状体を構成する周壁が、径方向内側に向かって凸湾する窪み部と、径方向外側に向かって凸湾する突部とを周方向に連続して備えている。
【００３１】
そこで、処理すべき排水中において本発明の微生物付着用担体が流動する際に回転力が微生物付着用担体に与えられる。これによって、処理すべき排水の流動につれて微生物付着用担体がとも回りする現象の発生が抑制され、処理すべき排水と微生物付着用担体との接触効率の増加が図られる。
【００３２】
本発明の微生物付着用担体は、従来、この技術分野で公知のように、ポリエチレン、ポリプロピレンなどの合成樹脂と、炭酸カルシウムやタルクなどの無機物から製造することができる。用途に応じて比重調整や発泡処理を行う。例えば、生物濾過法に使用する場合には、処理すべき排水が上昇流の場合は浮上し易く、下降流の場合には沈降し易くする等、用途、濾過システムに応じて比重０．８〜１．２の範囲で比重調整などを行う。
【００３３】
本発明の微生物付着用担体は外径寸法６〜５０ｍｍの範囲で、処理すべき排水の水質や、用途、濾過システムに応じて適宜の大きさにすることができる。
【００３４】
例えば、流入するＳＳが多い排水の場合には、微生物付着用担体の流出を防止するスクリーンの目詰まりが懸念されるので、流出防止スクリーンの目を大きくすることに対応させて微生物付着用担体の外径を前記の範囲内において比較的大きなものにする。
【００３５】
一方、生物量を多くする必要がある排水の場合には、微生物付着用担体の外径を前記の範囲内において比較的小さくし、小口径化を図って、生物が付着する有効表面積を大きくする。
【００３６】
中空の筒状体の長手方向の長さは外径寸法の０．８〜１．２倍にすることが望ましい。筒状体の周壁の厚さは１〜２ｍｍにすることができる。
【００３７】
内径寸法は、上記の外径寸法、肉厚に対応して４〜４９ｍｍの範囲に設定される。
【００３８】
このように、微生物付着用担体は前述した外径寸法、肉厚の範囲で、処理すべき排水の水質や、用途、濾過システムに応じて適宜の大きさに設定することができる。
【００３９】
本発明の微生物付着用担体は、好気性生物処理としては、通常の活性汚泥法にも使用可能であり、嫌気性生物処理としても適用できる。
【００４０】
好気性生物処理に使用する場合、複数に分割した散気装置を全面に設置した分割全面曝気法等と組み合わせると曝気箇所は流動床として活躍し、曝気していない箇所に滞留した場合は、汚泥の保持機能が働き、生物量の増加を図ることができ、処理効率を上げることができる。
【００４１】
本発明の微生物付着用担体は、上下に設置したスクリーンではさみ込むことにより流動床としても、固定床としても利用可能になる。
【００４２】
本発明の微生物付着用担体は、既存の流動床法や生物膜濾過法の濾材との混合利用が可能であり、比表面積のカバーや、閉塞状態にある濾材の代替や補填を行うことで処理性のカバーを行うことができる。
【００４３】
本発明の微生物付着用担体は、一般的な生物濾過用の濾材が機密性が高い構造であるのに対し、中空構造であるため、生物濾過法としての逆洗工程も効率よく行うことができ、且つ使用材料が少なく、価格も低価格に抑えることができる。
【００４４】
以下、添付図面を参照して本発明の好ましい実施例を説明するが、本発明は上述した発明を実施するための形態及び、以下の実施例に限定されることなく、特許請求の範囲の記載から把握される技術的範囲において種々に変更可能である。
【実施例】
【００４５】
ポリプロピレンを用い、従来の円柱状で中空の筒状体を製造するのと同様にして、形状が図１（ａ）、（ｂ）図示の本発明の微生物付着用担体１を準備した。外径寸法Ｒ：８ｍｍ、長手方向の長さＬ：８ｍｍ、肉厚：１ｍｍの大きさとし、発泡処理を行って比重を０．８７に調整した。
【００４６】
図１（ａ）、（ｂ）図示のように本発明の微生物付着用担体１は中空の筒状体である。この筒状体を構成する周壁２は、径方向内側に向かって凸湾する窪み部３ａ、３ｂ、３ｃと、径方向外側に向かって凸湾する突部４ａ、４ｂ、４ｃとを備えている。これらの窪み部３ａ、３ｂ、３ｃと、突部４ａ、４ｂ、４ｃとは、図示のように、周壁２の周方向に連続して形成されている。
【００４７】
そして、窪み部３ａ、３ｂ、３ｃにおける筒状体外周側の窪み部湾曲面１３ａ、１３ｂ、１３ｃの曲率と、突部４ａ、４ｂ、４ｃにおける筒状体外周側の突部湾曲面１４ａ、１４ｂ、１４ｃの曲率とは、互いに正負逆方向で、等しい大きさになっている。
【００４８】
この結果、図２、図３図示のように、複数個の本発明の微生物付着用担体１ａ〜１ｇが隣接した場合、隣接する微生物付着用担体１ａ〜１ｇが備えている窪み部湾曲面１３ａ、１３ｂ、１３ｃと、突部湾曲面１４ａ、１４ｂ、１４ｃとが互いに嵌めあって当接し、隣接する微生物付着用担体１ａ〜１ｇとの間の空間が非常に少なくなる。
【００４９】
すなわち、図２に符号５ａ、５ｂ、５ｃ、５ｄ、５ｅ、５ｆで示す大きさの空間部しか形成されない。
【００５０】
図４は、比較のために、従来の円柱状で中空の筒状体１１ａ〜１１ｇを、この実施例と同じく外径寸法Ｒ：１０ｍｍ、長手方向の長さＬ：１０ｍｍ、肉厚：２ｍｍ、比重：０．８７で製造し、複数個隣接させた場合を説明する平面図である。隣接する微生物付着用担体１１ａ〜１１ｇの間に符号１５ａ、１５ｂ、１５ｃ、１５ｄ、１５ｅ、１５ｆで示す空間部が形成され、本願発明の微生物付着用担体１ａ〜１ｇの場合と比較して非常に大きな空間部が形成されてしまうことがわかる。
【００５１】
試験・検討用に合成樹脂製の透明な直方体状の実験用濾過槽（容量：約１７０リットル）を準備し、上述のようにして準備した本発明の微生物付着用担体１を実験用濾過槽の容量の６０％に相当する数だけ投入し、ここに水を流動させて生物濾過装置としての模擬実験を行った。比較のため、同一の実験用濾過槽に、上述の従来の円柱状で中空の筒状体１１ａを用い、まったく同一の条件で模擬実験を行った。
【００５２】
微生物付着用担体を実験用濾過槽に投入し、水を入れただけの状態で、隣接する微生物付着用担体同士の間の状態を本発明品及び、従来品についてそれぞれ外部から観察した。本発明品の場合の方が、隣接する微生物付着用担体同士の間の隙間が小さいことを確認できた。
【００５３】
次に、水を流動させている状態で観察したところ、本発明品の場合、水の流動が開始される前の、隣接する微生物付着用担体同士の間の隙間が小さい状態が維持されており、水が流動している状態でも、一貫して、従来品よりも隣接する微生物付着用担体同士の間の隙間が小さいことを確認できた。
【００５４】
また、本発明品の微生物付着用担体１は、水が流動しているときにほとんどとも回りしないことを確認できた。そこで、処理すべき排水が流動する際には、とも回りが抑制されて、排水との接触効率が高まるものと認められた。
【００５５】
その後、前記の実験用濾過槽（容量：約１７０リットル）を用い、処理すべき排水を実際に流して性能評価試験を行った。
【００５６】
（試験１）
図１図示の形状で、外径寸法Ｒ：８ｍｍ、長手方向の長さＬ：８ｍｍ、肉厚：１ｍｍ、比重： ０．８７の本発明の微生物付着用担体を用いて実験を行った。
【００５７】
準備した微生物付着用担体を実験用濾過槽の容量の５０％に相当する量で充填し、７日間にわたって排水を流入させた。結果は図５図示の通りであった。
【００５８】
（試験２）
実験用濾過槽への微生物付着用担体の充填量を６０％に変更した以外は試験１と同様にし、７日間にわたって排水を流入させた。結果は図６図示の通りであった。
【００５９】
（試験３）
試験１で準備した微生物付着用担体を実験用濾過槽の容量の４３％に相当する量で充填し、１２日間にわたって排水を流入させた。結果は図７図示の通りであった。
【００６０】
（試験４）
実験用濾過槽に充填しる微生物付着用担体を、上下に設置したスクリーンではさみ込む構造にした以外は試験３と同様にし、８日間にわたって排水を流入させた。結果は図８図示の通りであった。
【００６１】
（比較試験１）
試験１で準備した本発明の微生物付着用担体と同一の材質で、外径寸法Ｒ：１０ｍｍ、長手方向の長さＬ：１０ｍｍ、肉厚：２ｍｍ、比重：０．８７の従来の円柱状で中空の筒状体からなる微生物付着用担体を準備し、これを用いて比較実験を行った。
【００６２】
微生物付着用担体を実験用濾過槽の容量の６０％に相当する量で充填し、２７日間にわたって排水を流入させた。結果は図９図示の通りであった。
【００６３】
（比較試験２）
比較試験２で準備した従来の円柱状で中空の筒状体からなる微生物付着用担体と、従来の不定形の微生物付着用担体とを用いて比較実験を行った。
【００６４】
従来の円柱状で中空の筒状体からなる微生物付着用担体を実験用濾過槽の容量の６０％、従来の不定形の微生物付着用担体を実験用濾過槽の容量の１０％、それぞれ、分離して実験用濾過槽に充填した。
【００６５】
７日間にわたって排水を流入させたところ、結果は図１０図示の通りであった。
【００６６】
（比較試験３）
従来の円柱状で中空の筒状体からなる微生物付着用担体と、従来の不定形の微生物付着用担体とを混合して実験用濾過槽に充填した以外は比較試験２と同様にし、２日間にわたって排水を流入させた。結果は図１１図示の通りであった。
【００６７】
比較試験１の結果と試験２の結果から、本発明の微生物付着用担体は、従来の円柱状で中空の筒状体からなる微生物付着用担体に比較して１．２倍の高い除去ＣＯＤ量を示すことが確認できた。
【００６８】
また、試験１では、少ない充填率でも従来品よりも高い除去率が認められた。
【００６９】
試験１、２の結果と比較試験１〜３の結果を比較すると、除去ＣＯＤ量が増加したことにより汚泥量は増加するが、ＳＳ流出量は近似していた。これは補足能力の向上を示すものと考えられた。また、溶解性であるＳ−ＣＯＤの除去率が上昇したことから、本発明の微生物付着用担体によれば処理能力が向上することが認められた。
【００７０】
試験３の結果は充填率４３％で既存の一般的な生物濾過用濾材と同等の能力が発揮されることを示していた。
【００７１】
試験３と試験４を比較すると試験４の方が除去率が８％向上していた。これは、上下からスクリーンではさみ込むことにより、隣接する微生物付着用担体同士の隙間に生物量を多くできたためと認められた。
【符号の説明】
【００７２】
１    微生物付着用担体
２    周壁
３ａ、３ｂ、３ｃ  窪み部
４ａ、４ｂ、４ｃ  突部
１３ａ、１３ｂ、１３ｃ  窪み部湾曲面
１４ａ、１４ｂ、１４ｃ  突部湾曲面
１ａ、１ｂ、１ｃ、１ｄ、１ｅ、１ｆ、１ｇ  微生物付着用担体
５ａ、５ｂ、５ｃ、５ｄ、５ｅ、５ｆ  隣接する微生物付着用担体との間の空間部
１１ａ、１１ｂ、１１ｃ、１１ｄ、１１ｅ、１１ｆ、１１ｇ  従来の円柱状中空の筒状体
１５ａ、１５ｂ、１５ｃ、１５ｄ、１５ｅ、１５ｆ  隣接する微生物付着用担体との間の空間部
【図１】
0005804547.tif 000002
【図２】
0005804547.tif 000003
【図３】
0005804547.tif 000004
【図４】
0005804547.tif 000005
【図５】
0005804547.tif 000006
【図６】
0005804547.tif 000007
【図７】
0005804547.tif 000008
【図８】
0005804547.tif 000009
【図９】
0005804547.tif 000010
【図１０】
0005804547.tif 000011
【図１１】
0005804547.tif 000012